(57)【特許請求の範囲】
【請求項１】
机の天板上方に照明装置を取付ける照明装置の取付構造であって、
天板から上方に離間した位置において、少なくとも前面に左右方向に沿って開口する係止溝条を有する横フレームが設けられるとともに、該横フレームの係止溝条に、手前側に延びるブラケットが摺動可能に係止されており、前記照明装置は、前記横フレームから手前側に離間した位置において、前記ブラケットを介して横フレームに取付けられ、前記照明装置は、前記ブラケットの上面に載置されるとともに、該照明装置の下面に配設された照明取付部により前記ブラケットに取付けられており、前記照明装置の下面と前記ブラケットの上面とに、一対の凹凸嵌合部が設けられていることを特徴とする照明装置の取付構造。
【請求項２】
前記照明装置は、断面視下向きの開口部を有する装置本体に、複数の発光ダイオードが長手方向に並設されて構成され、
所定数の発光ダイオードが並設された発光ダイオード群が、前記装置本体の内部に長手方向に互いに所定距離離間させて複数群配設されているとともに、それぞれの前記発光ダイオード群の下方を被覆する透光板と、前記発光ダイオード群間に形成された空間の下方を被覆する区画板とが、前記装置本体の開口部に長手方向に亘り形成された板取付部に取付けられており、
前記区画板に、前記照明取付部が配設されていることを特徴とする請求項１に記載の照明装置の取付構造。
【請求項３】
天板側から上方に支柱が立設されているとともに、該支柱に前記横フレームが設けられており、該横フレームは、前面及び後面に前記係止溝条を一対に有していることを特徴とする請求項１または２に記載の照明装置の取付構造。
【発明の詳細な説明】
【技術分野】
【０００１】
本発明は、机の天板上方に照明装置を取付ける照明装置の取付構造に関する。
【背景技術】
【０００２】
従来の机の天板上方に照明装置の取付構造は、天板の長手方向に沿って延びる装置本体に複数の蛍光管を取付け、この装置本体を天板上方に設けられた横フレームに対し固定に取付けている（例えば、特許文献１参照）。
【０００３】
【特許文献１】特開２００５−１３１１９８号公報（第３頁、第２図）
【発明の開示】
【発明が解決しようとする課題】
【０００４】
しかしながら、特許文献１にあっては、比較的長尺な蛍光管を複数有する装置本体が、構造上その重量が大きくなるため、装置本体を取付ける取付構造も頑丈なものとなり、照明を要する適所に配置し難いという不具合を生じていた。
【０００５】
本発明は、このような問題点に着目してなされたもので、横フレームの配置位置に限定されることなく、照明装置を所望の位置に取付けることができる照明装置の取付構造を提供することを目的とする。
【課題を解決するための手段】
【０００６】
上記課題を解決するために、本発明の請求項１に記載の照明装置の取付構造は、
机の天板上方に照明装置を取付ける照明装置の取付構造であって、
天板から上方に離間した位置において、少なくとも前面に左右方向に沿って開口する係止溝条を有する横フレームが設けられるとともに、該横フレームの係止溝条に、手前側に延びるブラケットが摺動可能に係止されており、前記照明装置は、前記横フレームから手前側に離間した位置において、前記ブラケットを介して横フレームに取付けられ、前記照明装置は、前記ブラケットの上面に載置されるとともに、該照明装置の下面に配設された照明取付部により前記ブラケットに取付けられており、前記照明装置の下面と前記ブラケットの上面とに、一対の凹凸嵌合部が設けられていることを特徴としている。
この特徴によれば、照明装置が、横フレームから手前側に離間した位置において、横フレーム前面の係止溝条に摺動可能に係止されたブラケットを介して横フレームに取付けられているため、照明装置を、照明を要する手前側に配置できるばかりか、横フレームに対し取付ける照明装置の左右幅形状の自由度が向上する。また照明装置が照明とともに熱を帯びる場合でも、照明装置の背面側に放熱空間を形成できる。そして照明装置をブラケットに載置するだけで、照明装置の下面とブラケットの上面とに一対に設けられた凹凸嵌合部により、照明装置とブラケットとの位置決めが容易にできるばかりか、照明取付部が照明装置の下面に隠れて配設されているため、美観体裁を損なうことがない。
【０００９】
本発明の請求項２に記載の照明装置の取付構造は、請求項１に記載の照明装置の取付構造であって、
前記照明装置は、断面視下向きの開口部を有する装置本体に、複数の発光ダイオードが長手方向に並設されて構成され、
所定数の発光ダイオードが並設された発光ダイオード群が、前記装置本体の内部に長手方向に互いに所定距離離間させて複数群配設されているとともに、それぞれの前記発光ダイオード群の下方を被覆する透光板と、前記発光ダイオード群間に形成された空間の下方を被覆する区画板とが、前記装置本体の開口部に長手方向に亘り形成された板取付部に取付けられており、
前記区画板に、前記照明取付部が配設されていることを特徴としている。
この特徴によれば、比較的小さな光源である発光ダイオードを並設した発光ダイオード群の下方を、透光板により被覆するとともに、発光ダイオード群間に形成された空間の下方を、区画板により被覆するようにし、この透光板及び区画板を、装置本体の開口部に延設された板取付部に取付けることで、透光板下方に形成される複数の照明空間を、その数量若しくは個々の長さの構成を選択する自由度を向上させて、容易且つ効率的に構成できる。また、透光板を回避して区画板に照明取付部を配設することになり、照明取付部が照明の邪魔になることを防止できる。
【００１０】
本発明の請求項３に記載の照明装置の取付構造は、請求項１または２に記載の照明装置の取付構造であって、
天板側から上方に支柱が立設されているとともに、該支柱に前記横フレームが設けられており、該横フレームは、前面及び後面に前記係止溝条を一対に有していることを特徴としている。
この特徴によれば、横フレームが前面及び後面に有する一対の係止溝条それぞれに、ブラケットを介し照明装置を一対に取付けることで、照明装置を横フレームから手前側に離間した位置に取付けることで発生するモーメントを互いに相殺でき、照明装置の取付けが安定する。
【発明を実施するための最良の形態】
【００１１】
本発明の実施例を以下に説明する。
【実施例】
【００１２】
本発明の実施例を図面に基づいて説明すると、先ず図１は、本発明の照明装置を適用した机の斜視図である。図２は、机の分解斜視図である。図３は、照明装置の分解組立斜視図である。図４は、照明装置の内部を示す断面図である。図５は、照明装置の取付状況を示す断面図である。図６（ａ）は、ブラケットの斜視図であり、（ｂ）は、ブラケットの取付状況を示す背面図である。図７（ａ）は、ブラケットの取付状況を示す下面図であり、（ｂ）は、照明装置の取付状況を示す下面図であり、（ｃ）は、変形例の照明装置の取付状況を示す下面図である。
【００１３】
図１に示すように、机１の天板２は、左右方向に長い長方形をなし、その下面の四隅部に取り付けられた４本の脚柱３により支持されている。天板２の左右両側端部における前後方向（以下、図１の斜め右手前を前として説明する）の中央部上面には、ベース部材４を介して１対の支柱５が立設されている。
【００１４】
机１は、天板２の前後略中央位置においてメインパネル２９が左右幅方向に立設され前後に仕切られるとともに、天板２の左右所定間隔をおいて複数のサイドパネル３０が前後方向に立設され左右に仕切られており、メインパネル２９上方に沿って後述する照明装置４０が配設されている。そして、メインパネル２９及びサイドパネル３０で仕切られた個別の空間Ｋごとに、照明できるように成っている。
【００１５】
図２に示すように、各部材について詳しく説明すると、左右の支柱５の上端部間には、横フレーム１９が、スペーサ２０を介して、支柱５の上端部の凹条溝１１内より挿入した上下２本のねじ２１により固定されている。この横フレーム１９は、押出成型手段により成型されたアルミニウム合金等の押出成形品よりなっており、横フレーム１９は、側面視ほぼ中空の矩形断面をなし、その前後両面には、上下２条の係止溝条２２が、前後対称の長手方向に全長にわたって形成され、また下面の中央には、下方が開口する上向きの嵌合溝２４が、長手方向に全長にわたって形成されている。横フレーム１９の前後両面それぞれには、その係止溝条２２を利用して、照明装置４０が取り付けられている。
【００１６】
横フレーム１９の嵌合溝２４と対向する天板２の中央部上面には、左右方向を向く凹溝２５が形成され、この凹溝２５には、左右方向を向く側面視凹状の保持溝２６を有するとともに、その上端の開口縁より前後反対方向に延出する当接片２７を有する保持部材２８が、両当接片２７の下面を天板２の上面に当接させて嵌着されている。保持部材２８の左右寸法は、左右のベース部材４の下端間の離間寸法とほぼ等しく、また保持溝２６と嵌合溝２４の前後寸法は等幅とされ、かつ上下に垂直に対向している。
【００１７】
横フレーム１９の嵌合溝２４と保持部材２８の保持溝２６には、透明又は半透明の透光性を有するアクリル等の材質により形成されているメインパネル２９の上下の端部が左右方向に亘って嵌合されており、このメインパネル２９は、左右の側端面が支柱５の内側面と当接又は近接するように設けられている。
【００１８】
図１及び図２を用いて詳述すると、天板２の左右両端部と互いに所定間隔を設けた中間部とには、天板２の上面を左右方向に仕切る、複数のサイドパネル３０（本実施例では４枚）が立設されており、このサイドパネル３０は、メインパネル２９と同材質の透光性を有するアクリル等の材質により形成されている。メインパネル２９の左右方向の中間部には、上端から中央部に至るスリット状の凹溝３１が下向きに形成され、各サイドパネル３０の前後方向の中央部には、下端から中央部に至るスリット状の凹溝３２が上向きに形成されている。
【００１９】
横フレーム１９を支柱５に取り付ける前において、メインパネル２９の凹溝３１に、サイドパネル３０の凹溝３２を上方より嵌合することにより、サイドパネル３０は、メインパネル２９の中間部に互いに直交状に交差して連結される。連結後においてサイドパネル３０の上端縁は、横フレーム１９の取付時に、横フレーム１９の下面と当接しないように、メインパネル２９の上端より若干下方に位置するようになっている。
【００２０】
更に、図２に示すように、メインパネル２９の側端面の上半部には、切欠凹部３３が形成され、この切欠凹部３３と支柱５の内側面との対向面間に、サイドパネル３０の凹溝３２を上方より嵌合することにより、メインパネル２９の側端にサイドパネル３０が直交状に連結される。各サイドパネル３０の前後両端の下部は、天板２の上面に固定された合成樹脂製の保持具３４により挟持されている。
【００２１】
ベース部材４は、平面形が支柱５の断面形より大きな前後方向に長い長円形をなし、上面中央は平坦面となっている。このベース部材４の前後の下面には、下端が開口する雌ねじ孔を有する下向突部７が連設され、両下向突部７を天板２に穿設された通孔８に嵌合し、その下方よりワッシャ９を介して挿入したねじ１０を、下向突部７の雌ねじ孔に螺合することにより、ベース部材４は天板２の上面に固定されている。
【００２２】
支柱５は、外側面の中央部に上下方向を向く凹条溝１１を有するほぼＣ字状断面をなし、アルミニウム合金等により形成されている。支柱５の側面の開口部には、合成樹脂製の閉塞部材としてのカバー１２が着脱可能に嵌着されている。支柱５の上部近傍には、照明装置４０から延びる電源ケーブル４３等を挿通できる配線挿通孔が貫設されており、支柱５は、カバー１２が嵌着されることで管状をなし、配線挿通孔から挿通させた電源ケーブル４３を、支柱５内部の凹条溝１１に配線させることができるようになっている。
【００２３】
支柱５は、ベース部材４を天板２に取り付ける前において、ベース部材４の中央の上面に、それに穿設した前後２個の通孔の下方より挿入したねじ１４を支柱５の下端部の雌ねじ孔に螺合することにより、固着されている。また、支柱５の上端は、キャップ部材１６を止着することにより閉塞されている。
【００２４】
ベース部材４の中央とその下方の天板２には、挿通孔１７、１８が貫設され、支柱５の凹条溝１１内に収容して配線された、照明装置４０から延びる電源ケーブル４３を下方に挿通し得るようになっている。
【００２５】
更に、支柱５内部の凹条溝に配線された電源ケーブル４３は、ベース部材４に形成された挿通孔１７と天板２に形成された挿通孔１８とに挿通され、天板２の下面側に設けられている配線ダクト３９まで配線されるようになっている。
【００２６】
次に、照明装置４０について説明する。
【００２７】
図３、４に示されるように、照明装置４０は、押出成型手段により成型されたアルミの押出成型品であって、長手方向に延設された断面視下向きの開口部を有する装置本体４１と、その長手方向の両端にアルミまたは硬質樹脂成型の側端部材４２が各々設けられ、さらに下面に透光性を有するプラスチック薄板状の透光板４７と、この透光板４７と略同形状であって非透明で金属製の区画板４８とが設けられており、照明装置４０は、横フレーム１９の前後両面にそれぞれ取付けられている。尚、本実施例の説明において、照明装置４０の長手方向を左右方向として、照明装置４０の正面側を前方とし背面側を後方として以下に説明する。
【００２８】
図３に示されるように、照明装置４０について具体的に説明すると、照明装置４０の内部には長手方向に沿って所定数の発光ダイオード（以下、ＬＥＤ４４）からなる発光ダイオード群４５が複数群設けられており、一群の発光ダイオード群４５は、比較的多数のＬＥＤ４４からなるＬＥＤ基板４５ａと、比較的少数のＬＥＤ４４からなるＬＥＤ基板４５ｂを２枚並設させて構成され、各発光ダイオード群４５は、略同じ左右幅を有する。そして隣り合った発光ダイオード群４５の間を所定距離離間させて装置本体４１に複数群（本実施例では計３群）配設されている。
【００２９】
さらに各発光ダイオード群４５を個別に点灯、消灯させる操作部としてのＯＮ／ＯＦＦ切替式の操作ボタン４６ａを有する操作基板４６が、各発光ダイオード群４５に隣接して設けられる。各発光ダイオード群４５同士は、図示しないケーブルで接続されていることで、図示左側の区画板４８に形成された挿通孔４８ｃに挿通される一本の電源ケーブル４３で、全ての発光ダイオード群４５に交流電源が供給されるようになっている。尚、図示しない制御部では電源ケーブル４３からの交流電力を直流に変換するコンバータ機能を備えるとともに、ＬＥＤ４４の照度や発色の調整および、操作ボタン４６ａによるＯＮ／ＯＦＦ信号に基づくＬＥＤ４４の制御機能等を備えている。
【００３０】
そこで、例えば図１に示す机１の各空間Ｋごとにパソコン等をもちいてデスクワークを行う際にも、快適に作業を行えるようになっている。また、ＬＥＤ４４の特性としては、従来公知の蛍光灯を用いた照明装置に比べて、省電力に優れ且つ長寿命である。尚、照明装置４０の横フレーム１９への取付構造については後述において説明する。
【００３１】
また、各発光ダイオード群４５の下方は、透光板４７により被覆されているとともに、発光ダイオード群４５間に形成された空間の下方は、区画板４８により被覆されている。各区画板４８には、後述するブラケット５０に嵌合する下向き凸状部４８ｂと、それぞれの発光ダイオード群４５の操作ボタン４６ａを下方に露出させる孔部４８ａとが設けられている。
【００３２】
次に、図４に示されるように、照明装置４０を構成する各部材の組み付けについて説明すると、各発光ダイオード群４５を、装置本体４１の開口部から所定箇所に取付ける。具体的には、装置本体４１の断面視下向きコ字状の内側面上側において、一対の溝条４１ｂ，４１ｂが、長手方向に開放された側端にかけて形成されている。そして各発光ダイオード群４５を、溝条４１ｂ，４１ｂに嵌合した嵌合凸片５４，５４の対向面間に挟持して、側端から長手方向に嵌挿し、所定箇所において、下方から螺挿する止めネジ５５により装置本体４１に固定する。更に、断面視屈曲した形状を成す薄板状であって長手方向に発光ダイオード群４５と略同じ長さの切欠き部を備えた反射部材４９を、下方を向いて凹形状を成すようにして発光ダイオード群４５の下側に取付ける。
【００３３】
次に、装置本体４１の開口部の対向面において互いを向いて開口する板取付部としての一対の凹溝４１ａ，４１ａが、装置本体４１の側端まで延びている。次いで、透光板４７について説明すると、本実施例の透光板４７は透光性のあるプラスチック樹脂材が用いられ、左右方向に延びる矩形の薄板で形成されている。また、区画板４８は、非透明の金属製であって、透光板４７よりも幅狭の矩形の薄板で形成されている。
【００３４】
次いで、図４に示されるように、装置本体４１の左右のいずれか一方の側端より、透光板４７の両端部を一対の凹溝４１ａ，４１ａに摺動移動させることで、透光板４７が長手方向に案内され取り付けられる。同様に、区画板４８を凹溝４１ａ，４１ａに摺動移動させて長手方向に取り付ける。区画板４８を取り付ける際には、操作基板４６より操作ボタン４６ａを一時的に取り外しておくことで、透光板４７及び区画板４８の摺動時に操作ボタン４６ａと両板４７，４８との衝突が未然に避けられるとともに、両板４７，４８の取り付け後に再度操作ボタン４６ａを下方より孔部４８ａを介して挿通するだけで、簡便に操作ボタン４６ａが取り付けられる。
【００３５】
そして、装置本体４１の左右に配置された側端部材４２を溝条４１ｂ，４１ｂに挿し込んでいくことで嵌入固定され、側端部材４２の取り付けが完了する。このとき透光板４７及び区画板４８の左右端は側端部材４２に保持され左右方向のぐらつきが防止される。
【００３６】
上述のようにすることで、板取付部を、装置本体４１の開口部の対向面において互いを向いて開口した一対の凹溝４１ａ，４１ａという簡易な形状で構成できるばかりか、透光板４７及び区画板４８を、装置本体４１の一方の側端から凹溝４１ａに順次取付け、凹溝４１ａに沿って長手方向に摺動して、透光板４７を各発光ダイオード群４５の下方に位置させるとともに、区画板４８を各発光ダイオード群４５間に形成される空間の下方に位置させ、所定に配置できる。
【００３７】
上述したように、装置本体４１を、押出成型手段により長手方向に長尺に略同一の断面形状に成型できるため、装置本体４１の開口部に形成した凹溝４１ａに取付けた透光板４７及び区画板４８を、円滑に摺動できるばかりか、装置本体４１の強度を長手方向に均一にすることができる。
【００３８】
次に、照明装置４０の机への取付について説明する。
【００３９】
先ず、横フレーム１９の前面に左右方向に亘って設けられた係止溝条２２に、ブラケット５０を固定に取付ける。図６（ａ）に示されるように、ブラケット５０は、前方に延びる載置部５０ａと下方に延びる組付部とを有する略Ｌ字形状からなる。本実施例では、前後方向に４枚設けられたサイドパネル３０それぞれの上方位置において、組付ボルト５２を、ブラケット５０の組付部に形成された挿通孔５０ｂに挿通するとともに、組付部の背面側に配置した組付こま５３に螺挿する。
【００４０】
組付こま５３は、雌ネジ孔５３ａを備えた比較的小型の略長方形部材であり、その短辺は係止溝条２２の上下開口幅よりも小さく、その長辺は上下開口幅よりも大きい。図６（ｂ）に示されるように、組付こま５３を、その短辺が上下方向を向くようにして係止溝条２２の内部に配置して、組付ボルト５２を締付け方向（本実施例では右周り）に螺挿する。組付こま５３は、組付ボルト５２の螺挿とともに略９０度回動し、すなわちその長辺が上下方向を向くようにして、組付部の背面において後方に突設された突設片５０ｃに当接した位置に配置される。このように、組付こま５３が係止溝条２２内部から抜き出し不能に配置されることで、ブラケット５０を横フレーム１９に対し固定に取付けることが出来る。また、ブラケット５０を単独に取付ける段階においては、組付ボルト５２の螺挿を軽めにしておくことで、ブラケット５０を、横フレーム１９に取付けるとともに係止溝条２２に沿って左右に摺動することができる。
【００４１】
そして図５及び図７（ａ）、（ｂ）に示されるように、各サイドパネル３０の上方においてブラケット５０を取付けた後に、照明装置４０を、その背面が横フレーム１９の前面よりも手前側に離間する位置において、断面視コ字状の開口部を下向きに配置して、ブラケット５０の載置部５０ａ上面に載置する。このとき照明装置４０の各区画板４８にそれぞれ形成された下向き凸状部４８ｂが、ブラケット５０の載置部５０ａに形成された嵌合孔５０ｄに挿通することで、照明装置４０をブラケット５０に対し位置決めする。このように、照明装置４０をブラケット５０に載置するだけで、照明装置４０の下面とブラケットの上面とに一対に設けられた凹凸嵌合部としての下向き凸状部４８ｂ、及び嵌合孔５０ｄにより、照明装置４０とブラケット５０との位置決めが容易にできる。尚、ブラケット５０を横フレーム１９に対し係止溝条２２に沿って左右方向に若干摺動させることで、下向き凸状部４８ｂと嵌合孔５０ｄとの嵌合をよりスムーズにできる。ブラケット５０は若干摺動させ上記嵌合させた後、横フレーム１９に対ししっかりと固定させればよい。
【００４２】
次に、照明装置４０を所定の設置箇所に取付けるための照明取付部としての照明取付ボルト５１をブラケット５０の下方から嵌合孔５０ｄに挿通するとともに、下向き凸状部４８ｂの内周部に形成された雌ネジ部に螺挿することで、照明装置４０をブラケット５０を介して横フレーム１９に対し固定に取付ける。
【００４３】
このように、照明装置４０が、横フレーム１９から手前側に離間した位置において、横フレーム１９前面の係止溝条２２に摺動可能に係止されたブラケット５０を介して横フレーム１９に取付けられているため、照明装置４０を、照明を要する手前側に配置できるばかりか、横フレーム１９に対し取付ける照明装置４０の左右幅形状の自由度が向上する。また照明装置４０が照明とともに熱を帯びる場合でも、照明装置４０の背面側と横フレーム１９との間に放熱空間を形成できる。
【００４４】
またこのように、照明装置４０をブラケット５０載置部５０ａの上面に載置することで、照明装置４０の重量をブラケット５０に預けた状態で、照明取付ボルト５１により容易に取付けることができるばかりか、照明取付ボルト５１が照明装置４０の下面に位置する区画板４８に隠れて配設されているため、美観体裁を損なうことがない。
【００４５】
図４に示されるように、天板２側から上方に支柱５が立設されているとともに、支柱５に横フレーム１９が設けられており、横フレーム１９は、前面及び後面に係止溝条２２，２２を一対に有しており、前後面一対の係止溝条２２，２２それぞれに、ブラケット５０を介し照明装置４０，４０を一対に取付けることで、照明装置４０を横フレーム１９から手前側に離間した位置に取付けることで発生するモーメントを互いに相殺でき、照明装置４０の取付けが安定する。
【００４６】
上述したように、比較的小さな光源であるＬＥＤ４４を並設した発光ダイオード群４５の下方を、透光板４７により被覆するとともに、発光ダイオード群４５間に形成された空間の下方を、区画板４８により被覆するようにし、この透光板４７及び区画板４８を、装置本体４１の開口部に延設された板取付部としての凹溝４１ａに取付けることで、透光板４７下方に形成される複数の照明空間を、その数量若しくは個々の長さの構成を選択する自由度を向上させて、容易且つ効率的に構成できる。例えば、本実施例では、一群の発光ダイオード群４５は、比較的多数のＬＥＤ４４からなるＬＥＤ基板４５ａと、比較的少数のＬＥＤ４４からなるＬＥＤ基板４５ｂを２枚並設させて構成され、装置本体４１に計３群配設されているが、例えば変形例として図７（ｃ）に示すように、一群の発光ダイオード群４５を、２枚のＬＥＤ基板４５ａと１枚のＬＥＤ基板４５ｂとを並設させて長手方向に長尺に構成し、この発光ダイオード群４５を計２群配設してもよい。更に、ＬＥＤ基板を適宜組合せ、若しくは単独で発光ダイオード群を計４群以上配設しても構わない。
【００４７】
また、区画板４８に、照明装置４０を所定の設置箇所に取付けるための照明取付部としての照明取付ボルト５１が配設されていることで、区画板４８を有効に活用できるばかりか、透光板４７を回避して区画板４８に照明取付ボルト５１を配設することになり、照明取付ボルト５１が照明の邪魔になることを防止できる。
【００４８】
更に、各空間Ｋを仕切るサイドパネル３０の上方に区画板４８が配置され、この区画板４８に形成された孔部４８ａに、区画板４８に隣接して配設された発光ダイオード群４５を操作可能な操作ボタン４６ａが配置されていることで、区画板４８を有効に活用できるばかりか、操作ボタン４６ａにより、複数群の発光ダイオード群４５をそれぞれ個別に操作できるため、複数の照明空間Ｋを個別に使用できる。
【００４９】
このようにして構成された照明装置４０では、図５に示されるように操作ボタン４６ａの操作によって複数のＬＥＤ４４が一斉に発光されるので、充分な照度が得られる。また、ＬＥＤ４４は従来の蛍光灯に比べてコンパクトな構成なのでＬＥＤ４４を複数収納して照度を高められるとともに省スペース化を実現できる。
【００５０】
そして、断面視下向きコ字状の装置本体４１の前後は、側部を構成する部材で覆われ、且つ左右側端は側端部材４２で覆われるとともに、下方は透光板４７、及び区画板４８で覆われているので、ＬＥＤ４４の照明光を装置本体４１の下方に集中させて、各空間Ｋに充分な照明を施すことが可能となる。また、透光板４７によって内部にあるＬＥＤ４４を外部から完全に被覆することができるので、外部からの衝撃に強くＬＥＤ４４の保護が図られるとともに、埃や塵等の入り込みも防止できる。
【００５１】
さらに、装置本体４１の両外側部に設けられた複数の溝４１ｃ，４１ｃによって、両外側部と空気との接触面積が拡大されることから、ＬＥＤ４４の輝度が高輝度の場合であっても、両外側部の溝４１ｃ，４１ｃが放熱フィンとして、ＬＥＤ４４の熱を外部に放散する効果を発揮する。
【００５２】
以上、本発明の実施例を図面により説明してきたが、具体的な構成はこれら実施例に限られるものではなく、本発明の要旨を逸脱しない範囲における変更や追加があっても本発明に含まれる。
【００５３】
例えば、上記実施例では、机１の天板２上方に照明装置４０を取付けているが、照明装置を取付ける対象は、例えばテーブル等の他の家具であっても構わない。また、上記実施例では、区画板４８は、非透明の金属製であるが、例えば区画板は、透光板と同様に透光性を有していてもよい。
【００５４】
また、上記実施例では、複数のＬＥＤ４４を装置本体４１の長手方向に沿って、一直線状に配設しているが、本発明はこれに限定されるものではなく、一直線状のＬＥＤ４４を前後に複数並列配設して照明の照度を高めても良い。
【図面の簡単な説明】
【００５５】
【図１】本発明の照明装置を適用した机の斜視図である。
【図２】机の分解斜視図である。
【図３】照明装置の分解組立斜視図である。
【図４】照明装置の内部を示す断面図である。
【図５】照明装置の取付状況を示す断面図である。
【図６】（ａ）は、ブラケットの斜視図であり、（ｂ）は、ブラケットの取付状況を示す背面図である。
【図７】（ａ）は、ブラケットの取付状況を示す下面図であり、（ｂ）は、照明装置の取付状況を示す下面図であり、（ｃ）は、変形例の照明装置の取付状況を示す下面図である。
【符号の説明】
【００５６】
１                机
２                天板
５                支柱
１９              横フレーム
２２              係止溝条
２９              メインパネル
３０              サイドパネル
４０              照明装置
４１              装置本体
４１ａ            凹溝（板取付部）
４４              ＬＥＤ（発光ダイオード）
４５              発光ダイオード群
４５ａ、４５ｂ    ＬＥＤ基板
４６              操作基板
４６ａ            操作ボタン（操作部）
４７              透光板
４８              区画板
４８ａ            孔部
４８ｂ            下向き凸状部（凹凸嵌合部）
５０              ブラケット
５０ａ            載置部
５０ｄ            嵌合孔（凹凸嵌合部）
５１              照明取付ボルト（照明取付部）
５２              組付ボルト
５３              組付こま
【図１】
0004996377.tif 000002
【図２】
0004996377.tif 000003
【図３】
0004996377.tif 000004
【図４】
0004996377.tif 000005
【図５】
0004996377.tif 000006
【図６】
0004996377.tif 000007
【図７】
0004996377.tif 000008